(57)【要約】【課題】酸性水又はアルカリ水を、入浴用の湯を入れる貯湯部に供給できる風呂装置であって、貯湯部に酸性水を張っているときに創水器で発生するアルカリ水を有効に活用することができる風呂装置を提供する。【解決手段】入浴用の湯を入れる貯湯部３と、この貯湯部３の周囲に設けた保温用タンク４とを有する２重構造の浴槽２と、給水管５に接続していて電気分解により酸性水とアルカリ水とを生成する創水器６とを備え、浴槽２の貯湯部３及び保温用タンク４がそれぞれ排水栓７、８を有している風呂装置１であって、貯湯部３及び保温用タンク４の何れか一方に酸性水を供給しているとき、他方にアルカリ水を供給するようにしている風呂装置。【選択図】        図１
2004298254.tif 000002
【特許請求の範囲】
【請求項１】
入浴用の湯を入れる貯湯部と該貯湯部の周囲に設けた保温用タンクとを有する２重構造の浴槽と、給水管に接続していて電気分解により酸性水とアルカリ水とを生成する創水器とを備え、浴槽の貯湯部及び保温用タンクがそれぞれ排水栓を有している風呂装置であって、貯湯部及び保温用タンクの何れか一方に酸性水を供給しているとき、他方にアルカリ水を供給するようにしている風呂装置。
【請求項２】
創水器の酸性水出口及びアルカリ水出口にそれぞれ流路切換弁を設けていて、貯湯部に供給する水及び保温用タンクに供給する水のそれぞれについて、アルカリ水とするか、酸性水にするかを切換自在にしていることを特徴する請求項１記載の風呂装置。
【請求項３】
保温用タンクが備える排水栓を、排水栓から出た水が浴室の床パンに広がるように配置していることを特徴とする請求項２記載の風呂装置。
【発明の詳細な説明】
【０００１】
【発明の属する技術分野】
本発明は、浴槽内に入れる水（湯）の水質を切換えることができる風呂装置に関する。
【０００２】
【従来の技術】
従来より、肌に良いといわれる酸性水を、入浴用の湯として浴槽内に供給したり、あるいは、石鹸の泡立ち性が良いアルカリ水を浴槽内に供給できるように、電気分解により酸性水とアルカリ水とを生成する創水器を給水管に接続すると共に、酸性水又はアルカリ水のどちらかを選択して浴槽内に供給できる風呂装置が知られている（特許文献１参照）。
【０００３】
しかし、従来の電気分解により酸性水とアルカリ水とを生成する創水器を取付けている風呂装置では、例えば、浴槽内に酸性水を張っているときに創水器で発生するアルカリ水は、有効に活用されることなく排水していた。
【０００４】
【特許文献１】
実願平２−５３４１８号（実開平４−１４１９６号公報）のマイクロフィルム
【０００５】
【発明が解決しようとする課題】
本発明は、上記の事情に鑑みて成されたもので、その目的とする所は、酸性水又はアルカリ水を、入浴用の湯を入れる貯湯部に供給できる風呂装置であって、貯湯部に酸性水を張っているときに創水器で発生するアルカリ水を有効に活用することができる風呂装置を提供することにある。
【０００６】
【課題を解決するための手段】
請求項１に係る発明の風呂装置は、入浴用の湯を入れる貯湯部と該貯湯部の周囲に設けた保温用タンクとを有する２重構造の浴槽と、給水管に接続していて電気分解により酸性水とアルカリ水とを生成する創水器とを備え、浴槽の貯湯部及び保温用タンクがそれぞれ排水栓を有している風呂装置であって、貯湯部及び保温用タンクの何れか一方に酸性水を供給しているとき、他方にアルカリ水を供給するようにしている風呂装置である。
【０００７】
請求項２に係る発明の風呂装置は、請求項１記載の風呂装置において、創水器の酸性水出口及びアルカリ水出口にそれぞれ流路切換弁を設けていて、貯湯部に供給する水及び保温用タンクに供給する水のそれぞれについて、アルカリ水とするか、酸性水にするかを切換自在にしていることを特徴する。
【０００８】
請求項３に係る発明の風呂装置は、請求項２記載の風呂装置において、保温用タンクが備える排水栓を、排水栓から出た水が浴室の床パンに広がるように配置していることを特徴とする。
【０００９】
【発明の実施の形態】
以下に、本発明の実施の形態を説明する。図１は本発明の風呂装置の一実施形態を説明するための概略断面図である。
【００１０】
この実施形態の風呂装置１は、図１に示すように、入浴用の湯を入れる貯湯部３と該貯湯部３の周囲に設けた保温用タンク４とを有する２重構造の浴槽２と、給水管５に接続していて電気分解により酸性水とアルカリ水とを生成する創水器６とを備えている。そして、浴槽２の貯湯部３及び保温用タンク４はそれぞれ排水栓７、８を有していて、これらの排水栓７、８は電動で開閉できるようにしている。給水管５は熱源（図示せず）に接続されていて、水だけでなく、湯を供給することもできるようにしている。
【００１１】
また、創水器６の酸性水出口９及びアルカリ水出口１０にそれぞれ流路切換弁１１、１２を設けている。酸性水出口９に設けている流路切換弁１１は、切換操作によって、創水器６で生成した酸性水を、貯湯部３と接続している酸性水配管１３Ａ及び保温用タンク４に接続している酸性水配管１３Ｂのどちらかに流すようにしている。アルカリ水出口１０に設けている流路切換弁１２は、創水器６で生成したアルカリ水を、貯湯部３と接続しているアルカリ水配管１４Ａ及び保温用タンク４に接続しているアルカリ水配管１４Ｂのどちらに流すようにしている。
【００１２】
そして、保温用タンク４には保温用タンク４内の水位を感知する水位センサー１８を備えている。さらに、この実施形態の風呂装置１は、排水栓７、８、流路切換弁１１、１２、創水器６及び熱源（図示せず）を動作させるために、お湯張りスイッチ１５、清掃スイッチ１６及び制御部１７とを備えている。なお、制御部１７は水位センサー１８で検知した保温用タンク４内の水位を表示する機能も備えている。
【００１３】
また、図２に示すように、保温用タンク４が備える排水栓８は、この排水栓８から出た水が浴室の床パン１９に広がるように配置している。そして、床パン１９に広がった水は、目皿２２を通って外部に通じている配水管２０に流入するようにしている。また、貯湯部３が備える排水栓７は、この排水栓７から出た水が外部に通じている配水管２０に流入するようにしている。なお、図２では、創水器６や各種配管等を省略していて、図２中の符号２１は浴槽２を支持する浴槽支持部材を示している。
【００１４】
上記の構成を備える風呂装置１の動作を説明する。
【００１５】
肌に良いといわれる酸性水のお湯を貯湯部３に張る場合には、まず制御部１７に備える排水栓用スイッチ（図示せず）を操作して、制御部１７から指示信号を出して貯湯部３及び保温用タンク４にそれぞれ備わる排水栓７、８を閉じる。次に、お湯張りスイッチ１５を押す。お湯張りスイッチ１５の動作に伴って制御部１７から指示信号を出して、酸性水出口９に設けている流路切換弁１１は、酸性水を、貯湯部３と接続している酸性水配管１３Ａに流すように切換え、アルカリ水出口１０に設けている流路切換弁１２は、アルカリ水を、保温用タンク４に接続しているアルカリ水配管１４Ｂに流すように切換える。また、お湯張りスイッチ１５の動作に伴って制御部１７から指示信号を出して、熱源（図示せず）を動作させて湯を給水管５に供給すると共に、創水器６を動作させて、酸性水の湯を貯湯部３に供給し、アルカリ水の湯を保温用タンク４に供給する。この実施形態では、酸性水及びアルカリ水の供給停止は、お湯張りスイッチ１５を押すことで行うが、貯湯部３にセンサーを取付けて酸性水及びアルカリ水の供給を自動的に停止することも可能である。
【００１６】
貯湯部３及び保温用タンク４に供給された湯を排水するときは、制御部１７に備える排水栓用スイッチ（図示せず）を操作して、貯湯部３及び保温用タンク４にそれぞれ備わる排水栓７、８を開けて排水する。
【００１７】
このように、この実施形態の風呂装置１では、貯湯部３に酸性水を張っているときに、従来は捨てていた創水器６で発生するアルカリ水を、保温用タンク４に供給して、貯湯部３の保温に活用することができる。
【００１８】
次に、この実施形態の風呂装置１の貯湯部３内を清掃する場合の動作について説明する。まず、保温用タンク４内に備える水位センサー１８により、保温用タンク４内が空になっていることを確認してから制御部１７に備える排水栓用スイッチ（図示せず）を操作して、保温用タンク４に備わる排水栓８を閉じる。一方、貯湯部３に備わる排水栓７は、制御部１７に備える排水栓用スイッチ（図示せず）を操作して、開状態にしておく。
【００１９】
次に、清掃スイッチ１６を押す。清掃スイッチ１６の動作に伴って制御部１７から指示信号を出して、酸性水出口９に設けている流路切換弁１１は、酸性水を、保温用タンク４に接続している酸性水配管１３Ｂに流すように切換え、アルカリ水出口１０に設けている流路切換弁１２は、アルカリ水を、貯湯部３と接続しているアルカリ水配管１４Ａに流すように切換える。また、清掃スイッチ１６の動作に伴って制御部１７から指示信号を出して、創水器６を動作させて、酸性水を保温用タンク４に供給し、アルカリ水を貯湯部３に供給する。次に、貯湯部３に供給されたアルカリ水で貯湯部３内を清掃し、その間保温用タンク４内に酸性水を溜める。アルカリ水は、油分を含む湯あかを分解する機能があるので、アルカリ水で貯湯部３内を清掃することは、湯あかの除去が容易にできるという利点がある。
【００２０】
貯湯部３内の清掃が終了した時点で、清掃スイッチ１６を押して、酸性水及びアルカリ水の供給を停止する。そして、制御部１７に備える排水栓用スイッチ（図示せず）を操作して、保温用タンク４に備わる排水栓８を開けて保温用タンク４内の酸性水を一気に排水する。保温用タンク４が備える排水栓８は、図２に示すように、この排水栓８から出た水が浴室の床パン１９に広がるように配置しているので、浴室の床パンは、排水栓８から出た酸性水によって除菌される。
【００２１】
このように、この実施形態の風呂装置１では、アルカリ水で貯湯部３内を清掃する際に、アルカリ水の生成時に同時に生成する酸性水を保温用タンク４内に溜めておき、アルカリ水で貯湯部３内を清掃した後で、溜めておいた酸性水で浴室の床パン１９を除菌することが可能である。
【００２２】
【発明の効果】
請求項１に係る発明の風呂装置は、入浴用の湯を入れる貯湯部と該貯湯部の周囲に設けた保温用タンクとを有する２重構造の浴槽と、給水管に接続していて電気分解により酸性水とアルカリ水とを生成する創水器とを備え、浴槽の貯湯部及び保温用タンクがそれぞれ排水栓を有している風呂装置であって、貯湯部及び保温用タンクの何れか一方に酸性水を供給しているとき、他方にアルカリ水を供給する供給するようにしているので、請求項１に係る発明の風呂装置によれば、貯湯部に酸性水の湯を張っているときに創水器で発生するアルカリ水の湯を保温用タンクに溜めることができ、従来は捨てていたアルカリ水を、貯湯部の保温に活用することが可能となる。
【００２３】
請求項２に係る発明の風呂装置は、請求項１記載の風呂装置において、創水器の酸性水出口及びアルカリ水出口にそれぞれ流路切換弁を設けていて、貯湯部に供給する水及び保温用タンクに供給する水のそれぞれについて、アルカリ水とするか、酸性水にするかを切換自在にしているので、請求項２に係る発明の風呂装置によれば、請求項１の発明の効果に加えて、貯湯部及び保温用タンクに供給する水の種類（酸性水、アルカリ水）を容易に切換えることができるという効果も奏する。
【００２４】
請求項３に係る発明の風呂装置は、請求項２記載の風呂装置において、保温用タンクが備える排水栓を、排水栓から出た水が浴室の床パンに広がるように配置しているので、請求項３に係る発明の風呂装置によれば、請求項２の発明の効果に加えて、アルカリ水で貯湯部内を清掃する際に、アルカリ水の生成時に同時に生成する酸性水を保温用タンク内に溜めておき、アルカリ水で貯湯部内を清掃した後で、溜めておいた酸性水で浴室の床パンを除菌することができるという効果も奏する。
【図面の簡単な説明】
【図１】本発明の実施形態を説明するための概略図である。
【図２】本発明の実施形態における、保温用タンクが備える排水栓を説明するための概略図である。
【符号の説明】
１  風呂装置
２  浴槽
３  貯湯部
４  保温用タンク
５  給水管
６  創水器
７  排水栓
８  排水栓
９  酸性水出口
１０  アルカリ水出口
１１  流路切換弁
１２  流路切換弁
１３Ａ、１３Ｂ  酸性水配管
１４Ａ、１４Ｂ  アルカリ水配管
１５  お湯張りスイッチ
１６  清掃スイッチ
１７  制御部
１８  水位センサー
１９  床パン
２０  配水管
２１  浴槽支持部材
２２  目皿
【図１】
2004298254.tif 000003
【図２】
2004298254.tif 000004